(57)【特許請求の範囲】
【請求項１】
固定架台と、この固定架台に対して駆動手段によりガイドに沿って進退可能に設けられた移動架台と、前記固定架台に移動架台の移動方向と交差する方向に設けられた一対の外ガイドプーリー及びその外ガイドプーリーの間に設けられた少なくとも１つの中ガイドプーリーと、前記移動架台に設けられたワイヤソー駆動プーリー及び少なくとも１つのガイドプーリーとを備えるとともに、前記固定架台の一対の外ガイドプーリーと前記移動架台のワイヤソー駆動プーリーとに周回走行可能に巻き付けられているエンドレス状のダイヤモンドワイヤソーが、外ガイドプーリーとワイヤソー駆動プーリー間で、少なくとも１つの相対する固定架台の中ガイドプーリーと移動架台のガイドプーリーとに折り返して走行可能に巻き付けられてなることを特徴とするダイヤモンドワイヤソーイング装置。
【請求項２】
移動架台のガイドプーリーがワイヤソー駆動プーリーを挟んで移動方向と直交する方向に対称に配設されてなるとともに、固定架台の中ガイドプーリーが前記移動架台のガイドプーリーと同数配設されてなる請求項１に記載のダイヤモンドワイヤソーイング装置。
【請求項３】
移動架台のガイドプーリーが２個配設されてなる請求項２に記載のダイヤモンドワイヤソーイング装置。
【発明の詳細な説明】
【０００１】
【発明の属する技術分野】
本発明は、コンクリート構造物や石材等の切断に使用されるダイヤモンドワイヤソーイング装置に関するものである。
【０００２】
【従来の技術】
近年、ダイヤモンドワイヤソーを使用してコンクリート構造物の切断解体（特開平 9− 41682号公報、特許第 2595470号公報参照）や採石場での石材の切り出し（特開平 6−246736号公報参照）などが行われている。
【０００３】
上記で使用されるダイヤモンドワイヤソーは、上記公報等にも開示されているように、例えばダイヤモンド砥粒層を有する切削用ダイヤモンドビーズを、コイルスプリングや樹脂等の中間スペーサを介し又は介さずにスチールワイヤに適宜の間隔で固定して設けた構造のものである。
【０００４】
また、ダイヤモンドワイヤソーイング装置は、上記ダイヤモンドワイヤソーと、そのダイヤモンドワイヤソーの走行駆動装置と、その走行駆動装置を進退駆動させる進退駆動装置と、ダイヤモンドワイヤソーを所望状態で走行させるためのガイドプーリーとを備えて構成されている。また、前記走行駆動装置は、ダイヤモンドワイヤソーを巻き掛けるワイヤソー駆動プーリーと、このワイヤソー駆動プーリーを回転駆動させる油圧モータや電動モータ等の原動機で構成されている。またその進退駆動装置としては、走行駆動装置を設けた架台に駆動車輪を設けレールに沿って進退移動させる装置、あるいは駆動ピニオンを設けラックに沿って進退移動させる装置、更には走行駆動装置を設けた架台と固定架台との間に液圧シリンダを設け軌道あるいはガイドに沿って進退移動させる装置などが適宜使用される。
【０００５】
【発明が解決しようとする課題】
ところで、上記従来のダイヤモンドワイヤソーイング装置を用いてコンクリート構造物や石材等（以下、被切断構造物と言う）を切断する場合、ダイヤモンドワイヤソーの走行駆動装置の進退にかなりの距離を要することから、一度の後退で被切断構造物が切断できない場合には、一旦後退させて切断した後切断作業を中止し、ダイヤモンドワイヤソーを切断して長さを短縮した後再度後退させて切断するといった一連の作業が繰り返し行われることになる。特に被切断構造物の切断外周が大きく且つダイヤモンドワイヤソーの走行駆動装置の後退距離が取れない場合には数度の前記切断作業を要し、切断作業効率が悪い。またその場合、ダイヤモンドワイヤソーは細切れの長さとなり外径もまちまちとなるので、再使用が困難となり不経済である。
【０００６】
本発明は、上記の問題点を解消するためになしたものであって、目的の一つは、比較的狭い切断作業現場であってダイヤモンドワイヤソーを切断して長さ調整をすることなく被切断構造物を切断し得るダイヤモンドワイヤソーイング装置を提供するものである。
【０００７】
【課題を解決するための手段】
上記目的を達成するために、本発明に係るダイヤモンドワイヤソーイング装置（請求項１）は、固定架台と、この固定架台に対して駆動手段によりガイドに沿って進退可能に設けられた移動架台と、前記固定架台に移動架台の移動方向と交差する方向に設けられた一対の外ガイドプーリー及びその外ガイドプーリーの間に設けられた少なくとも１つの中ガイドプーリーと、前記移動架台に設けられたワイヤソー駆動プーリー及び少なくとも１つのガイドプーリーとを備えるとともに、前記固定架台の一対の外ガイドプーリーと前記移動架台のワイヤソー駆動プーリーとに周回走行可能に巻き付けられているエンドレス状のダイヤモンドワイヤソーが、外ガイドプーリーとワイヤソー駆動プーリー間で、少なくとも１つの相対する固定架台の中ガイドプーリーと移動架台のガイドプーリーとに折り返して走行可能に巻き付けられてなるものである。
【０００８】
上記構成では、被切断構造物側に設けられる固定架台とワイヤソー駆動プーリーが設けられる移動架台のそれぞれにガイドプーリーが取付けられるとともに、前記固定架台の一対の外ガイドプーリーと前記移動架台のワイヤソー駆動プーリーとに周回走行可能に巻き付けられているエンドレス状のダイヤモンドワイヤソーが、外ガイドプーリーとワイヤソー駆動プーリー間で、少なくとも１つの相対する固定架台の中ガイドプーリーと移動架台のガイドプーリーとに折り返して走行可能に巻き付けられているので、被切断構造物を切断する際の移動架台の後退距離が、固定架台の外ガイドプーリーにガイドされて移動架台のワイヤソー駆動プーリーとの間のみで走行する場合と異なり、短くして被切断構造物の切断代がかせげ、少ない後退距離で大きな切断ができ、これにより、比較的狭い切断作業現場であってもダイヤモンドワイヤソーを切断して長さ調整をすることなく被切断構造物を切断することができる。
【０００９】
【発明の実施の形態】
以下、本発明の実施形態を図面に基づいて説明する。図１は、本発明（請求項１乃至３）に係るダイヤモンドワイヤソーイング装置の説明図、図２は、図１のＸ矢視図である。図において、ダイヤモンドワイヤソーイング装置Ａは、固定架台１、移動架台２、ダイヤモンドワイヤソー３を備えて構成される。
【００１０】
固定架台１は、基礎台４とその上に取付けられたフレーム５とスライド支柱６で構成され、基礎台４は被切断構造物Ｓなどにアンカー等により固定可能に構成されている。また、フレーム５にはその長手方向の外側に一対の外ガイドプーリー７，８と、その外ガイドプーリー７と８の間に一対の中ガイドプーリー９，10がそれぞれフレーム５の同一側に設けられている。また、スライド支柱６にはラック11が取付けられ移動架台２が取付けられたスライダ12が駆動ピニオン13によって進退可能に構成されている。
【００１１】
移動架台２は、スライダ12に取付けられた基礎台14とこの基礎台14に上記フレーム５に対向して取付けられたフレーム15とで構成され、基礎台14にはダイヤモンドワイヤソーを周回走行させるためのワイヤソー駆動プーリー16と駆動モータ17が取付けられている。また、フレーム15にはその長手方向に一対のガイドプーリー18, 19がフレーム15の同一側に設けられている。なお、上記外ガイドプーリー７，８と中ガイドプーリー９，10及びワイヤソー駆動プーリー16とガイドプーリー18, 19はプーリーの円盤面が同一面内に位置するように配設されている。
【００１２】
ダイヤモンドワイヤソー３は、従来技術の項で説明したものと同様のもので、詳細を図示省略するが、例えばダイヤモンド砥粒層を有する切削用ダイヤモンドビーズを、コイルスプリングや樹脂等の中間スペーサを介し又は介さずにスチールワイヤに適宜の間隔で固定して設けた構造のものである。
【００１３】
上記の構成を備えるダイヤモンドワイヤソーイング装置による被切断構造物の切断を、図３を参照して説明する。
【００１４】
角柱状の被切断構造物Ｓの所定切断位置の側面にダイヤモンドワイヤソーイング装置Ａの固定架台１の基礎台４をアンカーにより固定して取付けるとともに、ダイヤモンドワイヤソー３を、被切断構造物Ｓの所定切断位置の外周に沿わせ、更に外ガイドプーリー７、ガイドプーリー18、中ガイドプーリー９、ワイヤソー駆動プーリー16、中ガイドプーリー10、ガイドプーリー19、外ガイドプーリー８の順で巻き付ける。このように巻き付けた後、ワイヤソー駆動プーリー16を駆動すると同時に駆動ピニオン13を駆動することで、ダイヤモンドワイヤソー３が被切断構造物Ｓの所定切断位置の外周より内側へと研削しながら食い込み切断が行われる。
【００１５】
上記の切断において、ダイヤモンドワイヤソー３は、固定架台１の中ガイドプーリー９，10と移動架台２のガイドプーリー18, 19との間で走行可能に巻き付けられているので、移動架台２の後退距離が、固定架台１の外ガイドプーリー７，８にガイドされて移動架台２のワイヤソー駆動プーリー16との間のみで走行する場合よりも短い後退距離で被切断構造物Ｓの切断が行える。従って、上記の構成のダイヤモンドワイヤソーイング装置Ａであれば、比較的狭い切断作業現場であってもダイヤモンドワイヤソー３を切断して長さ調整をすることなく被切断構造物Ｓの切断を行うことができる。
【００１６】
なお、上記の例では、固定架台１の中ガイドプーリー９，10と移動架台２のガイドプーリー18, 19を二個ずつ設けた例を説明したが、一個ずつであっても二個ずつよりは後退距離が長くなるが上記の効果を享受できる。しかし、二個ずつあるいは四個ずつのように偶数個ずつをワイヤソー駆動プーリー16の後退路に対して左右対称に配設する方が装置構造のバランスが良く、好ましい。また、上記の例では、固定架台１を被切断構造物Ｓなどに直接アンカー等により固定した例を説明したが、固定架台１を被切断構造物Ｓなどとは別の基礎に固定してもよく、また固定架台１をバックホウ等に取付けて高所や低所などの被切断構造物Ｓの切断を行うことができる。
【００１７】
【発明の効果】
以上説明したように、本発明に係るダイヤモンドワイヤソーイング装置によれば、ダイヤモンドワイヤソーが、外ガイドプーリーとワイヤソー駆動プーリー間で、少なくとも１つの相対する固定架台の中ガイドプーリーと移動架台のガイドプーリーとに折り返して走行可能に巻き付けられているので、移動架台の後退距離が、固定架台の外ガイドプーリーにガイドされて移動架台のワイヤソー駆動プーリーとの間のみで走行する場合よりも短い後退距離で被切断構造物の切断が行え、比較的狭い切断作業現場であってもダイヤモンドワイヤソーを切断して長さ調整をすることなく被切断構造物の切断を行うことができる。
【図面の簡単な説明】
【図１】  本発明に係るダイヤモンドワイヤソーイング装置の説明図である。
【図２】  図１のＸ矢視図である。
【図３】  本発明に係るダイヤモンドワイヤソーイング装置による被切断構造物の切断要領説明図であって、ａは切断開始初期、ｂは切断途中、ｃは切断完了のそれぞれ状態を示す。
【符号の説明】
Ａ：ダイヤモンドワイヤソーイング装置
１：固定架台                      ２：移動架台
３：ダイヤモンドワイヤソー        ４：基礎台
５：フレーム                      ６：スライド支柱
７，８：外ガイドプーリー          ９，10：中ガイドプーリー
11：ラック                        12：スライダ
13：駆動ピニオン                  14：基礎台
15：フレーム                      16：ワイヤソー駆動プーリー
17：駆動モータ                    18, 19：ガイドプーリー
Ｓ：被切断構造物
【図１】
0003652938.tif 000002
【図２】
0003652938.tif 000003
【図３】
0003652938.tif 000004